(57)【要約】【課題】  固着具が挿入される挿通孔を容易に変更することができる、配線・配管材支持具を提供する。【解決手段】  配線・配管材支持具３は、被固定面１ａに固定される固定部６と、配線・配管材２を支持する支持部７とを備える。ここで、固定部６は、互いに交差して被固定面１ａに選択的に当接する第１当接面６ａおよび第２当接面６ｂとを、有する。さらに、固定部６は、第１当接面６ａとは反対側からその第１当接面６ａに向かって貫通し、固着具４を挿入可能な第１挿通孔６ｃと、第２当接面６ｂとは反対側からその第２当接面６ｂに向かって貫通し、固着具４を挿入可能な第２挿通孔６ｄとを、有する。そこで、固定部６には、第１挿通孔６ｃと第２挿通孔６ｄとを連通して、第１挿通孔６ｃまたは第２挿通孔６ｄに選択的に挿入された固着具４が、他方の挿通孔６ｄ、６ｃに移動可能となる、連通部６ｅが設けられる。【選択図】  図１
2014055605.tif 000002
【特許請求の範囲】
【請求項１】
配線・配管材を支持するための配線・配管材支持具であって、
被固定面に固定される固定部と、前記配線・配管材を支持する支持部とを備え、
前記固定部は、互いに交差して前記被固定面に選択的に当接する第１当接面および第２当接面と、前記第１当接面とは反対側からその第１当接面に向かって貫通し、前記被固定面に固定するための固着具を挿入可能な第１挿通孔と、前記第２当接面とは反対側からその第２当接面に向かって貫通し、前記固着具を挿入可能な第２挿通孔とを、有し、かつ、
前記固定部には、前記第１挿通孔と前記第２挿通孔とを連通して、前記第１挿通孔または前記第２挿通孔に選択的に挿入された前記固着具が、他方の挿通孔に移動可能となる、連通部が設けられることを特徴とする、配線・配管材支持具。
【請求項２】
前記第１挿通孔と前記第２挿通孔とは、前記固定部内で交差するように設けられることを特徴とする、請求項１に記載の配線・配管材支持具。
【請求項３】
前記連通部は、前記第１挿通孔と前記第２挿通孔との交差部の手前側を連通する第１連通部と、前記交差部の奥側を連通する第２連通部とからなることを特徴とする、請求項２に記載の配線・配管材支持具。
【請求項４】
前記第１挿通孔は、前記第１当接面に対して傾斜するように、または、前記第２挿通孔は、前記第２当接面に対して傾斜するように、形成されることを特徴とする、請求項１ないし３のいずれか１項に記載の配線・配管材支持具。
【請求項５】
請求項１ないし４のいずれか１項に記載の配線・配管材支持具と前記固着具とを備える配線・配管材支持装置であって、
前記第１挿通孔と前記第２挿通孔とは、それぞれ一対設けられ、
前記固着具は、前記一対の第１挿通孔または前記一対の第２挿通孔に選択的に挿入される、一対の軸部と、それら軸部を一端で連結する連結部とで、コ字状に形成されることを特徴とする、配線・配管材支持装置。
【発明の詳細な説明】
【技術分野】
【０００１】
この発明は、配線・配管材をその向きを変えて支持することができる、配線・配管材支持具、および配線・配管材支持装置に関するものである。
【背景技術】
【０００２】
従来、配線・配管材を支持する支持具として、図１０に示すものがあった（例えば、特許文献１参照）。この支持具１３は、金属製の棒材からなり、一端側が、梁１１の被固定面１１ａに固定される固定部１４となり、他端側が、屈曲形成されて、配線・配管材１２の支持部１５となっていた。ここで、固定部１４は、互いに直交する方向に圧潰された第１圧潰部１４ａおよび第２圧潰部１４ｂを有しており、それら第１圧潰部１４ａおよび第２圧潰部１４ｂには、厚み方向に貫通する貫通孔１４ｃが設けられていた。そこで、これら圧潰部１４ａ、１４ｂの一方を選択して、その圧潰された面を被固定面１１ａに当てて、ビス１６を貫通孔１４ｃを通して被固定面１１ａにねじ込むことで、この支持具１３を、被固定面１１ａに対する二方向の向きの内の選択した一方の向きで固定することができた。そして、これによって、配線・配管材２を、被固定面１１ａに対する二方向の向きの内の選択した一方の向きで支持することができた。
【先行技術文献】
【特許文献】
【０００３】
【特許文献１】特開２０１１−２２０４３８号公報
【発明の概要】
【発明が解決しようとする課題】
【０００４】
ところで、前記従来の支持具１３にあっては、第１圧潰部１４ａと第２圧潰部１４ｂの内の一方の圧潰部を選択してその圧潰部の、挿通孔としての貫通孔１４ｃに、固着具としてのビス１６を挿入した後に、他方の圧潰部に変更しようとした場合、一旦、ビス１６を一方の貫通孔１４ｃから抜いてから、他方の貫通孔１４ｃに挿入しなければならず、その作業が面倒であった。
【０００５】
この発明は、上記した従来の欠点を解決するためになされたものであり、その目的とするところは、固着具が挿入される挿通孔を容易に変更することができる、配線・配管材支持具、および配線・配管材支持装置を提供することにある。
【課題を解決するための手段】
【０００６】
この発明に係る配線・配管材支持具、および配線・配管材支持装置は、前記目的を達成するために、次の構成からなる。すなわち、
請求項１に記載の発明に係る配線・配管材支持具は、配線・配管材を支持するための配線・配管材支持具であって、被固定面に固定される固定部と、前記配線・配管材を支持する支持部とを備える。ここで、前記固定部は、互いに交差して前記被固定面に選択的に当接する第１当接面および第２当接面と、前記第１当接面とは反対側からその第１当接面に向かって貫通し、前記被固定面に固定するための固着具を挿入可能な第１挿通孔と、前記第２当接面とは反対側からその第２当接面に向かって貫通し、前記固着具を挿入可能な第２挿通孔とを、有する。そして、前記固定部には、前記第１挿通孔と前記第２挿通孔とを連通して、前記第１挿通孔または前記第２挿通孔に選択的に挿入された前記固着具が、他方の挿通孔に移動可能となる、連通部が設けられる。
【０００７】
この配線・配管材支持具によると、固定部には、互いに交差する第１当接面および第２当接面と、第１当接面に向かって貫通する第１貫通孔および第２当接面に向かって貫通する第２貫通孔が設けられている。そこで、第１当接面と第２当接面との一方の当接面を選択して被固定面に当接させて、固着具を、第１貫通孔と第２貫通孔の内の、選択した当接面に対応する貫通孔を通して、被固定面に打ち込んだりねじ込んだりすることで、この配線・配管材支持具を、被固定面に対する二方向の向きの内の選択した一方の向きで固定することができる。そして、これにより、支持部に支持される配線・配管材を、被固定面に対する二方向の向きの内の選択した一方の向きで支持することができる。さらに、固定部には、第１当接面に向かって貫通する第１挿通孔と、第２当接面に向かって貫通する第２挿通孔とを連通する、連通部が設けられており、この連通部を通して、第１挿通孔または第２挿通孔の一方に挿入された固着具は、他方に移動することができる。したがって、固着具を、第１挿通孔と第２挿通孔との一方の挿通孔に挿入した後に、他方の挿通孔に変更しようとする場合に、一度その固着具を一方の挿通孔から抜くことなく、そのまま、固着具を連通部を通して他方の挿通孔に移動させることができる。
【０００８】
また、請求項２に記載の発明に係る配線・配管材支持具のように、請求項１に記載の配線・配管材支持具において、前記第１挿通孔と前記第２挿通孔とは、前記固定部内で交差するように設けられてもよい。
【０００９】
また、請求項３に記載の発明に係る配線・配管材支持具のように、請求項２に記載の配線・配管材支持具において、前記連通部は、前記第１挿通孔と前記第２挿通孔との交差部の手前側を連通する第１連通部と、前記交差部の奥側を連通する第２連通部とからなってもよい。
【００１０】
また、請求項４に記載の発明に係る配線・配管材支持具のように、請求項１ないし３のいずれか１項に記載の配線・配管材支持具において、前記第１挿通孔は、前記第１当接面に対して傾斜するように、または、前記第２挿通孔は、前記第２当接面に対して傾斜するように、形成されてもよい。こうして、挿通孔を、当接面に対して傾斜するように形成することで、配線・配管材支持具が、挿通孔に挿入された固着具を軸として回動することがなく、この配線・配管材支持具を、被固定面に安定して固定することができる。
【００１１】
また、請求項５に記載の発明に係る配線・配管材支持装置は、請求項１ないし４のいずれか１項に記載の配線・配管材支持具と前記固着具とを備える配線・配管材支持装置である。ここで、配線・配管材支持具において、前記第１挿通孔と前記第２挿通孔とは、それぞれ一対設けられる。そして、前記固着具は、前記一対の第１挿通孔または前記一対の第２挿通孔に選択的に挿入される、一対の軸部と、それら軸部を一端で連結する連結部とで、コ字状に形成される。こうして、配線・配管材支持具における第１挿通孔と第２挿通孔とが、それぞれ一対設けられ、固着具が、一対の挿通孔に対応して一対の軸部を備えることで、この配線・配管材支持具を、被固定面に、強固に固定することができる。
【発明の効果】
【００１２】
この発明に係る配線・配管材支持具、および配線・配管材支持装置によれば、固着具を、第１挿通孔と第２挿通孔との一方の挿通孔に挿入した後に、他方の挿通孔に変更しようとする場合に、一度その固着具を一方の挿通孔から抜くことなく、そのまま、固着具を連通部を通して他方の挿通孔に移動させることができ、これによって、固着具が挿入される挿通孔を容易に変更することができる。
【図面の簡単な説明】
【００１３】
【図１】この発明の一実施の形態の、配線・配管材支持装置の斜視図である。
【図２】同じく、正面図である。
【図３】同じく、右側面図である。
【図４】同じく、左側面図である。
【図５】同じく、図２におけるＡ−Ａ線による断面図である。
【図６】同じく、第１当接面を被固定面に当接させて配線・配管材を支持する、正面図である。
【図７】同じく、第２当接面を被固定面に当接させて配線・配管材を支持する、側面図である。
【図８】この発明の他の実施の形態の、図５相当図である。
【図９】この発明のさらに他の実施の形態の、図５相当図である。
【図１０】従来の支持具を示す斜視図である。
【発明を実施するための形態】
【００１４】
以下、この発明に係る配線・配管材支持具、および配線・配管材支持装置を実施するための形態を図面に基づいて説明する。
【００１５】
図１〜図７は、本発明の一実施の形態を示す。図中符号１は、例えば建物の梁とか柱とか壁等の構造物その他の被固定物を示す。１ａは、前記被固定物１における被固定面を示す。２は、配線・配管材（配線材または配管材）を示す。３は、前記配線・配管材２を支持するための配線・配管材支持具を示す。４は、固着具を示す。５は、前記配線・配管材支持具３と前記固着具４とを備える配線・配管材支持装置を示す。
【００１６】
配線・配管材支持具３は、被固定面１ａに固定される固定部６と、配線・配管材２を支持する支持部７とを備える。ここで、固定部６は、互いに交差（図示実施の形態においては、直交）して被固定面１ａに選択的に当接する第１当接面６ａおよび第２当接面６ｂとを、有する。さらに、固定部６は、第１当接面６ａとは反対側からその第１当接面６ａに向かって貫通し、前記被固定面１ａに固定するための固着具４を挿入可能な第１挿通孔６ｃと、第２当接面６ｂとは反対側からその第２当接面６ｂに向かって貫通し、前記固着具４を挿入可能な第２挿通孔６ｄとを、有する。そこで、固定部６には、第１挿通孔６ｃと第２挿通孔６ｄとを連通して、第１挿通孔６ｃまたは第２挿通孔６ｄに選択的に挿入された前記固着具４が、他方の挿通孔６ｄ、６ｃに移動可能となる、連通部６ｅが設けられる。
【００１７】
具体的には、配線・配管材支持具３は、例えば合成樹脂材料により一体に形成されている。この配線・配管材支持具３は、前記固定部６が、一定の厚みを有する正面視略三角状に形成される。そして、配線・配管材支持具３は、固定部６の略三角状の厚みの一面６ｆが延出されるように延びて固定部６がある側に鉤状に曲がって形成されたフック部７ａを有している。そこで、前記支持部７は、このフック部７ａと、固定部６におけるフック部７ａと対向する面６ｇを備えた座部７ｂとから構成される。そして、フック部７ａの先端部分７ｃは、屈曲可能となるよう肉薄に形成されている。そこで、フック部７ａの先端と座部７ｂとの間の開口７ｄから、配線・配管材２を支持部７内に挿入することができ、配線・配管材２は、その支持部７内を貫通する方向に配設される。
【００１８】
ここにおいて、前記第１当接面６ａは、固定部６の略三角形状の厚みの、前記一面６ｆおよび前記面６ｇを除いた他の面からなる。そして、第２当接面６ｂは、固定部６の厚み方向を向く略三角形状の一方の面からなり、この第２当接面６ｂは、第１当接面６ａに対し直交位置する。なお、図中符号６ｈは、固定部６に厚み方向に明けられた肉抜き穴を示す。
【００１９】
前記第１挿通孔６ｃと第２挿通孔６ｄとは、それぞれ一対設けられる。一対の第１挿通孔６ｃ、６ｃは、第１当接面６ａとは反対側にある前記一面６ｆからその第１当接面６ａに向かって貫通し、固定部６の厚み方向に対し直交する方向に並ぶように設けられる。そして、第１挿通孔６ｃは、第１当接面６ａに対して傾斜するように、形成されている。一対の第２挿通孔６ｄ、６ｄは、第２当接面６ｂとは反対側にある他方の面６ｉからその第２当接面６ｂに向かって貫通し、固定部６の厚み方向に対し直交する方向に並ぶように設けられる。そして、第２挿通孔６ｄは、第２当接面６ｂに対して直交するように、形成されている。
【００２０】
これら第１挿通孔６ｃと第２挿通孔６ｄとは、図５に示すように、固定部６内で交差（図示実施の形態においては、直交）するように設けられる。そして、連通部６ｅは、第１挿通孔６ｃと第２挿通孔６ｄとの交差部６ｊの手前側（つまり、第１当接面６ａおよび第２当接面６ｂとは反対側）を連通する第１連通部６０１と、その交差部６ｊの奥側（つまり、第１当接面６ａおよび第２当接面６ｂの側）を連通する第２連通部６０２とからなる。ここで、第１連通部６０１にあっては、第１挿通孔６ｃ側に、幅狭に形成された幅狭部６ｋを有しており、固着具４が、第１挿通孔６ｃと第２挿通孔６ｄとの間を移動（図示実施の形態においては、回転移動）する際には、この幅狭部６ｋを押し広げるようにして移動する。そして、第１挿通孔６ｃに挿入された固着具４が不用意に第２挿通孔６ｄ側に移動するのを、この幅狭部６ｋによって防いでいる。
【００２１】
固着具４は、例えば金属製の棒状の部材からなる。詳細には、この固着具４は、一対の第１挿通孔６ｃ、６ｃまたは一対の第２挿通孔６ｄ、６ｄに選択的に挿入される、一対の軸部４ａ、４ａと、それら軸部４ａ、４ａを一端（後端）で連結する連結部４ｂとで、コ字状に形成される。
【００２２】
ところで、図６は、配線・配管材２を支持するにあたって、第１当接面６ａを被固定面１ａに当接させたときの図であり、図７は、配線・配管材２を支持するにあたって、第２当接面６ｂを被固定面１ａに当接させたときの図である。ここで、配線・配管材支持具３は、固定部６が下となり、支持部７が上となる向きで、被固定面１ａに固定されているが、上下を逆にする等、被固定面１ａに直交する軸回りに回動した位置で固定されてもよい。
【００２３】
次に、以上の構成からなる配線・配管材支持具３、および配線・配管材支持装置５の作用効果について説明する。この配線・配管材支持具３における固定部６には、互いに交差（図示実施の形態においては直交）する第１当接面６ａおよび第２当接面６ｂと、第１当接面６ａに向かって貫通する第１貫通孔６ｃおよび第２当接面６ｂに向かって貫通する第２貫通孔６ｄが設けられている。そこで、第１当接面６ａと第２当接面６ｂとの一方の当接面を選択して被固定面１ａに当接させて、固着具４を、第１貫通孔６ｃと第２貫通孔６ｄの内の、選択した当接面に対応する貫通孔を通して、被固定面１ａに打ち込んだりねじ込んだりすることで、この配線・配管材支持具３を、被固定面１ａに対する二方向の向きの内の選択した一方の向きで固定することができる。そして、これにより、支持部７に支持される配線・配管材２を、被固定面１ａに対する二方向の向きの内の選択した一方の向きで支持することができる。すなわち、この配線・配管材２をその向きを変えて支持することができる。
【００２４】
ここにおいて、固定部６には、第１当接面６ａに向かって貫通する第１挿通孔６ｃと、第２当接面６ｂに向かって貫通する第２挿通孔６ｄとを連通する、連通部６ｅが設けられており、この連通部６ｅを通して、第１挿通孔６ｃまたは第２挿通孔６ｄの一方に挿入された固着具４は、他方に移動（図示実施の形態においては、回転移動）することができる。したがって、固着具４を、第１挿通孔６ｃと第２挿通孔６ｄとの一方の挿通孔に挿入した後に、他方の挿通孔に変更しようとする場合に、一度その固着具４を一方の挿通孔から抜くことなく、そのまま、固着具４を連通部６ｅを通して他方の挿通孔に移動させることができ、これによって、固着具４が挿入される挿通孔６ｃ、６ｄを容易に変更することができる。
【００２５】
また、第１挿通孔６ｃと第２挿通孔６ｄとは、固定部６内で交差するように設けられ、連通部６ｅは、第１挿通孔６ｃと第２挿通孔６ｄとの交差部６ｊの手前側を連通する第１連通部６０１と、交差部６ｊの奥側を連通する第２連通部６０２とからなっている。このため、固着具４を、第１挿通孔６ｃと第２挿通孔６ｄとの一方の挿通孔に交差部６ｊを越えて挿入した状態で、固着具４を、他方の挿通孔側に回転移動させるように後端側（図示実施の形態においては連結部４ｂ）を押すことで、その固着具４を、前記交差部６ｊを支点として、簡単に他方の挿通孔側に移動（回転移動）させることができる。
【００２６】
また、第１挿通孔６ｃを、第１当接面６ａに対して傾斜するように形成することで、配線・配管材支持具３が、第１挿通孔６ｃに挿入された固着具４を軸として回動することがなく、この配線・配管材支持具３を、被固定面１ａに安定して固定することができる（図６参照）。
【００２７】
また、第１挿通孔６ｃと第２挿通孔６ｄとが、それぞれ一対設けられ、固着具４が、一対の挿通孔６ｃ、６ｃ、６ｄ、６ｄに対応して一対の軸部４ａ、４ａを備えることで、この配線・配管材支持具３を、被固定面１ａに、強固に固定することができる（図６、図７参照）。
【００２８】
なお、本発明は、上述した実施の形態に限定されるわけではなく、その他種々の変更が可能である。例えば、第１挿通孔６ｃと第２挿通孔６ｄとを連通する連通部６ｅは、交差部６ｊの手前側を連通する第１連通部６０１と奥側を連通する第２連通部６０２とからならなくとも、第１連通部６０１のみからなっていてもよい。そして、この場合には、固着具４は、交差部６ｊを越えない範囲で、第１挿通孔６ｃと第２挿通孔６ｄとの間を移動（回転移動）することができる。
【００２９】
また、第１挿通孔６ｃと第２挿通孔６ｄとは、固定部６内で交差するように設けられなくとも、図８に示すように、角度を有するが交差することなく設けられてもよく、また、図９に示すように、平行位置するように設けられてもよい。そして、このように、第１挿通孔６ｃと第２挿通孔６ｄとが平行位置する場合には、固着具４は、これら第１挿通孔６ｃと第２挿通孔６ｄとの間を平行に移動する。
【００３０】
また、第１挿通孔６ｃは、第１当接面６ａに対して傾斜するように形成されているが、第１当接面６ａに対して直交するように形成されてもよい。また、第２挿通孔６ｄは、第２当接面６ｂに対して直交するように形成されているが、第２当接面６ｂに対して傾斜するように形成されてもよい。
【００３１】
また、固着具４は、一対の軸部４ａ、４ａが連結部４ｂで連結されてコ字状に形成されているが、連結部４ｂを設けることなく、軸部４ａ、４ａが分離していてもよい。すなわち、固着具４を、例えば棒状の軸部に頭部を備えた、釘とかビス等とし、その固着具４が、二つ設けられてもよい。
【００３２】
また、第１挿通孔６ｃと第２挿通孔６ｄとは、それぞれ一対設けられているが、それぞれ一つのみ設け、固着具４を、前述した固着具４と同様に、例えば棒状の軸部に頭部を備えた、釘とかビス等としてもよい。
【符号の説明】
【００３３】
１ａ  被固定面
２  配線・配管材
３  配線・配管材支持具
４  固着具
４ａ  軸部
４ｂ  連結部
５  配線・配管材支持装置
６  固定部
６ａ  第１当接面
６ｂ  第２当接面
６ｃ  第１挿通孔
６ｄ  第２挿通孔
６ｅ  連通部
６０１  第１連通部
６０２  第２連通部
６ｊ  交差部
７  支持部
【図１】
2014055605.tif 000003
【図２】
2014055605.tif 000004
【図３】
2014055605.tif 000005
【図４】
2014055605.tif 000006
【図５】
2014055605.tif 000007
【図６】
2014055605.tif 000008
【図７】
2014055605.tif 000009
【図８】
2014055605.tif 000010
【図９】
2014055605.tif 000011
【図１０】
2014055605.tif 000012